(57)【要約】      （修正有）【課題】ターゲットバードゴルフのクラブでボールを上に上げようとじてクラブを寝かせたとき、ソールに形成された凹面が地面とに隙間ができてリーディングエッジとトレーディングエンジが地面にべた当たりし、トップやダフリが少なくなるターゲットバーコードゴルフ専用のクラブを提供する。【解決手段】マットにスクエアにセットした際、リーディングエッジ７の部分が接地してソール面が後方に向くターゲットバードゴルフの専用クラブであり、リーディングエッジ７とトレーディングエッジ８との間が凹面１０に抉られている。【選択図】図３
0003182949.tif 000002
【実用新案登録請求の範囲】
【請求項１】
マットにスクエアにセットした際、リーディングエッジの部分が接地してソールが後方に向くターゲットバードゴルフの専用クラブであり、リーディングエッジとトレーディングエッジとの間が凹面に抉られていることを特徴とするターゲットバードゴルフの専用クラブ。
【請求項２】
フエースを上に向けてセットしたとき、両エッジが接地して凹面とマットとの間に隙間が生ずる請求項１のターゲットバードゴルフの専用クラブ。
【請求項３】
両エッジの間の凹面が二つ以上設けられている請求項１のターゲットバードゴルフの専用クラブ。
【考案の詳細な説明】
【技術分野】
【０００１】
本考案は、ターゲットバードゴルフの専用クラブ（以下、クラブという）に関するものである。
【背景技術】
【０００２】
ターゲットバードゴルフ（以下、ターゲットという）という競技がある。ゴルフとバドミントン及びバスケットボールを合わせたような競技であり、バドミントンのボールのように羽根がついたボールをゴルフのアイアンのようなクラブで打ち、目的地にセットした傘を逆にしたような直径１１０ｃｍ、高さ６０ｃｍのバスケット（アドバンテージホールといい、以下、ホールという）に入れるものである。そして、その打数の少なさを競うものである。なお、ホールの下には直径１００ｃｍのリングパイプからなるセカンドホールが設けられており、ホールに入れ損なってセカンドホールに入れば１ペナルティーを払ってそのホールの競技は終わる。なお、ホールは１８、パーの打数は７２でトータルの打数の少なさを競うものである。
【０００３】
ただ、ゴルフは１４本のクラブを使うが、ターゲットでは一本のみであることと、マットを携帯し、ボールの落下点に来ると、ボールをマットの上に載せて打つことが違っている。したがって、そのテクニックは非常に難しく、特に、ボールを上に上げることである（因みに、ボールには羽根が付いているから，誰が打ってもせいぜいが３０ｍ程度であり、飛距離に関してはあまり問題にならない）。これは、ホールに近づけば近づくほど難しくなり、ホールの近くからではほとんど真上に上げなければならない。ターゲットのボールには羽根が付いているから、スピンはかからず、ゴルフのようにスピンでボールを上に上げることはできないからでもある。
【０００４】
クラブに関していえば、アイアンと似た形状をしているが、ロフトは大体が４１°程度であり、アイアンの７番と８番の間ぐらいをしている。また、ソールを有しており、その前端がリーディングエッジ、後端がトレーディングエッジであり、両エッジの間はバンスといって凸面をしている点も同じである。ただ、アイアンではフェースとソールとがなす角度（仮にロフト残角とすれば）は９０°からロフトを引いた角度になるが、クラブではそれよりも小さい。このようなクラブで距離と上昇をコントロールしているのであるが、距離を出すときは、リーディングエッジの部分をマットに接地させてスクエアにセットする。このようなセットをすると、上記のロフト残角の影響でソール面は全面的に接地せず、後方を向いている（トレーディングエッジが持ち上がっている）。
【０００５】
一方、ボールを上方に上げようとするほどクラブを寝かせるが、ソールが凸面をしていると、フェースを寝かせれば寝かせるほどリーディングエッジが持ち上がり、ボールの下に入り難く、トップし易くなる。加えて、トレーディングエッジを接地させるほど寝かせると、リーディングエッジは完全に持ち上がり、トップの確率が更に高くなる。このため、下記特許文献１ではロフト角を変更できるクラブが提案されているが、構造も複雑で高価であるし、ロフト角が変えられても、思うようには打てない。それよも技術でカバーすることが優先される。
【先行技術文献】
【特許文献】
【０００６】
【特許文献１】実開平０７−０４３０８９０号公報
【考案の概要】
【考案が解決しようとする課題】
【０００７】
本考案は、トレーディングエッジを接地させるぐらいフェースを寝かせたとしても、ロフト残角の影響でリーディングエッジはあまり持ち上がらないが、加えて、ソールを凹面に抉ることで両エッジを接地させることができるのである。この意味でツインソールというものである。
【課題を解決するための手段】
【０００８】
以上の課題の下、本考案は、請求項１に記載した、マットにスクエアにセットした際、リーディングエッジの部分が接地してソールが後方に向くターゲットバードゴルフの専用クラブであり、リーディングエッジとトレーディングエッジとの間が凹面に抉られていることを特徴とするターゲットバードゴルフの専用クラブを提供するとともに、これにおいて、請求項２に記載した、フエースを上に向けてセットしたとき、両エッジが接地して凹面とマットとの間に隙間が生ずる手段、請求項３に記載した、両エッジの間の凹面が二つ以上設けられている手段を提供する。
【考案の効果】
【０００９】
クラブを構えた人を前面から見た場合、クラブをスクエアにセットすると、通常のクラブであれば、ロフト残角の影響でリーディングエッジの部分が接地し、トレーディングエッジはマットからかなり持ち上がっている。つまり、ソールは全面的に接地しているのではなく、後方を向いているのである。一方で、ボールを上げるときには、当然にクラブを寝かせるが、ソール面は凸面をしているから、フェース面が上に向くぐらいクラブを寝かせるとリーディングエッジルは上に持ち上がり、ボールの下に入り難くなり、トップし易くなるのである。しかし、本考案のツインソールのクラブによれば、両エッジの間の凹面により、両エッジは接地し、リーディングエッジは持ち上がらず、ボールの下に入れ易くなってトップが少なくなるのである。
【００１０】
また、凹面によって重量が軽減すると同時に地面との抵抗が減る慣性能率の影響でクラブスピードが上がって距離も延びる。さらに、トレーディングエッジも存在するから、クラブの寝かせ程度にかかわらずボールを上げるとともに、前進させる働きもする。請求項２の手段の手段によれば、両エッジの間を確実に凹面にして確実に接地させることができるし、請求項３の手段によれば、この効果がより高くなる。
【図面の簡単な説明】
【００１１】
【図１】クラブの正面図である。
【図２】クラブの前面図である。
【図３】クラブを寝かせた場合の前面図である。
【図４】従来例のクラブをスクエアにセットしたときの前面図である。
【図５】従来例のクラブを寝かせたときのクラブの前面図である。
【図６】ゴルフのアイアンの前面図である。
【図７】マットとボールの関係を示す平面図である。
【考案を実施するための形態】
【００１２】
以下、本考案の実施の形態を図面を参照して説明する。まず、ゴルフのアイアンの仕組みを図６の前面図で説明しておくが、アイアンはシャフト１をネック２に差し込み、ネック２と一体となったヘッド３を有している。ヘッド３は表面のフエース４、裏面のバックフエース５及び下端のソール６を有する。この場合、ネック２を垂直にしたスクエアのときにソール６は凸面となり、凸面の中央が接地する。なお、ソール６の前端をリーディングエッジ７、後端をトレーディングエッジ８と呼ぶ。
【００１３】
このとき、フェース４がネック２の中心線と交叉する角度をロフト角α、ソール６が接地するときの面と地面９とのなす角度をバンス角βという。この方向（リーディングエッジ７がトレーディングエッジ８よりも高い）のバンス角βがプラス方向であり、ソール６も広いことから、バンスはヘッド３が地面９に潜り込むことを有効に阻止する。因みに、ロフト角αは番手が下がるほど（番数の数字が下がるほど）小さくなり、８番アイアンで４３°、サンドウェッジで５６°程度である。
【００１４】
図４は従来のターゲットのクラブをスクエアにしたときの前面図、図５は寝かせたときの前面図であるが、大体は上記したアイアンの構造と同じであるが、ロフト角αは通常のもので４１°をしており、これは７番アイアンと８番アイアンの中間ぐらいであることは上記した。ソール６も有しており、凸面をしているが、９０°からロフト角αを引いた角度、つまり、フェース４とソール６との角度をロフト残角γと仮称すると、アイアンのロフト残角γよりも小さくなっている。このため、クラブをスクエアに構えたとき、リーディングエッジ７の部分のみが接地し、トレーディングエッジ８は上方に持ち上がっている。つまり、ソール６は後方を向いているが、これは、距離を出すためであり、ボールを上昇させるときには次のようにセットする。
【００１５】
図１は本考案に係るツインソールのクラブの正面図、図２はスクエアのときの前面図、図３は寝かせたときの前面図であるが、従来のクラブと違う点は両エッジ７，８の間を凹面１０になるように抉っていることである。ソール６が全面的に接地していないから、明確なバンス角βは存在しないが、それでも接地面に限ればマイナス方向のバンス角βを有している。これにより、もっとも難しいテクニックであるボール１１を上げようとしてトレーディングエッジ８をマット１２に接地させるまでフエース４を寝かせたときでも、リーディングエッジ７は接地していることになる。
【００１６】
したがって、リーディングエッジ７はボール１１の下に確実に入り込み、トップやダフリが少ない。実際、テクニックを有する者は９０°上方に上げることも可能であり、本考案のクラブによれば、多くの者がこのテクニックを身に付けられるようにしたのである。このとき、トレーディングエッジ８は一種のバンスとなり、ソール６が弾かれてボール１１を上に上げる作用をするとともに、推進力を高める作用もする。この意味でトレーディングエッジ８も重要な働きをし、これがないと、クラブはボール１１の下を潜り抜け、ボールは上がりも飛びもしない。
【００１７】
また、飛距離を出そうと思ってロフトを立てて打ったとき、この凹面１０が存在する故にマットに食い込み易いが（食い込むとクラブスピードが落ちて飛距離が出ない）、その辺は技術でカバーすることになる。ただ、正常にインパクトすると、上記した重量及び抵抗の軽減に基づく慣性能率の作用で飛距離も出るようになる。この点で、凹面１０を二個以上設けることも考えられる。要するに、本考案のクラブはツインソールとなり、上げ易さと飛距離の両方を兼ね備えるものということになる。
【００１８】
図７はボール１１とマット１２との関係を示す平面図であるが、ボール１１には上記したように羽根１３が付いており、これが抵抗となってボール１１は遠くまで飛ばない。また、スピンもかからず、これに基づく飛距離や上昇も期待できないのは上記したとおりである。このため、ライがよいことは条件であり、これを可能にするために競技者は常にこのマット１２を携帯してラウンドし、落下点に来るとマット１２の上にボールを置き直し、そこから打つのである。
【符号の説明】
【００１９】
１    シャフト
２    ネック
３    ヘッド
４    フェース
５    バックフェース
６    ソール
７    リーディングエッジ
８    トレーディングエッジ
９    地面
１０  凹面
１１  ボール
１２  マット
１３  羽根
【図１】
0003182949.tif 000003
【図２】
0003182949.tif 000004
【図３】
0003182949.tif 000005
【図４】
0003182949.tif 000006
【図５】
0003182949.tif 000007
【図６】
0003182949.tif 000008
【図７】
0003182949.tif 000009